(57)【要約】【課題】  ホテル、遊園地、テーマパーク、アミューズメント施設、大型店舗などの施設内において、極めて簡単な入力操作および探索操作によって、利用者の位置を迅速に把握したり、迷子になった同行の子供や老齢者を迅速に捜しだせるようにする。【解決手段】  ＩＣタグリーダ３Ａ〜３Ｄは、非接触方式で情報の授受を行うＩＣタグ１０から発信される無線信号を受信して、その中に含まれているタグ情報を読み取って制御サーバ１に送付する。制御サーバ１は、ＩＣタグリーダ３から送信される送信信号を受信してその中に含まれているタグ情報およびＩＣタグリーダ３の位置を特定するリーダ番号を抽出して送受信サーバ５に送付する。送受信サーバ５は、制御サーバ１から送付されるタグ情報に基づく携帯電話８に対して、タグ情報を読み取ったＩＣタグリーダ３Ａの位置を特定する情報を発信する。【選択図】  図１
2005303402.tif 000002
【特許請求の範囲】
【請求項１】
非接触方式で情報の授受を行うＩＣタグから発信される無線信号を受信してその中に含まれているタグ情報を読み取って送信する読取手段と、
前記タグ読取手段から送信される送信信号を受信してその中に含まれているタグ情報およびタグ読取手段の位置を特定する情報を抽出して、抽出したタグ情報に基づく通信端末装置を特定する端末特定手段と、
前記端末特定手段によって特定された通信端末装置に対して前記端末特定手段によって抽出されたタグ読取手段の位置を特定する情報を送信する情報送信手段と、
を備えた情報通信システム。
【請求項２】
ＩＣタグから発信される無線信号に含まれているタグ情報は通信端末装置のアドレスであり、前記情報送信手段は、前記端末特定手段によって抽出されたアドレスの通信端末装置に対して前記端末特定手段によって抽出されたタグ読取手段の位置を特定する情報を発信することを特徴とする請求項１に記載の情報通信システム。
【請求項３】
ＩＣタグから発信される無線信号に含まれているタグ情報は当該ＩＣタグを識別する識別情報であり、前記端末特定手段は、抽出した識別情報と一意に関連付けされたアドレスを検索し、前記情報送信手段は、その検索されたアドレスの通信端末装置に対してタグ情報を前記端末特定手段によって抽出されたタグ読取手段の位置を特定する情報を発信することを特徴とする請求項１に記載の情報通信システム。
【請求項４】
複数のＩＣタグのそれぞれを識別する各識別情報と複数の通信端末装置のそれぞれを特定する各アドレスとを一意に関連付けて記憶する記憶手段をさらに備え、前記端末特定手段は、抽出した識別情報と一意に関連付けされたアドレスを前記記憶手段から検索することを特徴とする請求項３に記載の情報通信システム。
【請求項５】
前記端末特定手段は、抽出したアドレスの通信端末装置に対して抽出したタグ読取手段の位置を特定する地図情報を作成し、前記情報送信手段は、作成された地図情報を抽出されたアドレスの通信端末装置に対して発信することを特徴とする請求項１に記載の情報通信システム。
【請求項６】
非接触方式で情報の授受を行うＩＣタグから発信される無線信号を受信してその中に含まれているタグ情報を読み取るステップと、
読み取ったタグ情報を担う送信信号を送出するステップと、
送信信号を受信してその中に含まれているタグ情報およびタグ情報が読取られた位置の位置情報を抽出するステップと、
抽出したタグ情報に基づく通信端末装置に対して抽出した位置情報を発信するステップと、
を実行する情報通信方法。
【発明の詳細な説明】
【技術分野】
【０００１】
本発明は、情報通信システムおよび情報通信方法に関し、特に、非接触方式で情報の授受を行うＩＣタグを利用した情報通信システムおよび情報通信方法に関するものである。
【背景技術】
【０００２】
非接触方式で情報の授受を行うＩＣタグが新しい無線通信手段として注目されている。ＩＣタグは、ＩＣカードよりもさらに小型であるので、物に貼付した状態又は人間が着用した状態でも非接触方式で情報の授受を行うことができる。このため、ホテル、遊園地、テーマパーク、アミューズメント施設、大型店舗などにおいて、利用者の位置を把握したり、同行の子供や老齢者が迷子になるのを防止するために利用する提案が従来なされている。
例えば、ある提案による位置情報提供システムにおいては、ホテル等の施設を利用する利用者の位置に関する情報と提供する。この提案の構成によれば、図１に示されているように、ＩＣタグリーダライタ１１５は、一定の時間間隔で客室のルームキーに取り付けられた非接触ＩＣタグ１１３の検出およびＩＣタグ番号の読取りを行ない、読取られたＩＣタグ番号を、この番号を検出したセンサ１１１のチャンネル番号と共に位置情報提供サーバ１０１へ送信する。位置情報提供サーバ１０１は、ＩＣタグ番号およびセンサ１１１のチャンネル番号と、この情報の受信時刻とを対応付けた位置情報の表を作成し、統計データベース１０５に記録する。携帯電話機１０４から統計データベース１０５に記録された情報の閲覧を要求された場合、位置情報提供サーバ１０１は要求に応答する情報を統計データベース１０５から抽出し、携帯電話機１０４へ送信する。（特許文献１）
また、別の提案による施設来場者の現在位置検出システムにおいては、施設来場者が識別タグを所持する際に、所持者固有の識別データを入力する。識別タグとして、ＩＣカード、バーコード、磁気カード、画像処理技術適用タグ、無線タグ等が例示されているが、本質的には上記特許文献１と同様のＩＣタグと同じものである。この提案の構成によれば、図１に示されているように、幼児や老人等の識別データが入力された伝送制御器１２ａは、伝送路によって複数の伝送制御器１２ｂ〜１２ｎに接続されている。伝送制御器１２ｂ〜１２ｎの各々には、演算器８ｂ〜８ｎが接続され、演算器８ｂ〜８ｎには解読器９ｂ〜９ｎおよびフラットディスプレイが接続されている。引率者が迷子の検索をする場合には、フラットディスプレイからパスワードを入力し、表示された迷子検索ページにおいて、識別タグ携帯者すなわち迷子の幼児や老人等の識別データを入力すると、合致する識別データを抽出して表示する。引率者が確認して検索開始を入力すると、迷子の現在位置が表示される。（特許文献２）
【特許文献１】特開２００３−６１１３１号公報
【特許文献２】特開２００３−２３３８９３号公報
【発明の開示】
【発明が解決しようとする課題】
【０００３】
上記特許文献１においては、顧客が持っている各非接触ＩＣタグは客室のルームキーに取り付けられたものであり、ＩＣタグ番号はルームナンバと同一であるので、名前などのように顧客の固有の識別情報とその顧客のルームナンバとの関係が分からなければ、探索の対象となる顧客の位置を把握することはできない。もっとも、この文献の実施形態の変形例として、段落番号「００５４」には、ホテルその他の施設利用者を識別するための利用者ＩＤ、氏名、施設の利用開始時間、連絡先等の情報を記録する可能性が示唆されてはいる。しかしながら、どのように記録するのか、また、記録した後でどのように利用するのかという点については、その構成および方法について具体的に記載されてはいない。
一方、上記特許文献２においては、図３に示されているように、幼児や老人等の引率者は、識別タグ販売所１で購入した識別タグ３に、入力装置７によって、幼児や老人等のパスワード、氏名、引率者の氏名、電話番号、ＩＤ番号等の識別データを登録することができる。しかしながら、施設内の演算器のフラットディスプレイからパスワードやＩＤ番号を入力することが必要であるので、登録したパスワードおよびＩＤ番号を忘れた場合や、それをメモした紙などをなくした場合には、迷子を捜すことができない。また、迷子を捜す前にフラットディスプレイのある場所を捜さなければならず、現在の位置からフラットディスプレイのある場所まで距離があったり、利用者が多すぎて、フラットディスプレイのある場所に容易にたどり着けないおそれもある。さらに、登録する項目がパスワード、氏名、引率者の氏名、電話番号、ＩＤ番号等のように多いので、それを入力する入力装置７での混雑のおそれが十分あり得る。
本発明は、このような従来の課題を解決するためのものであり、ホテル、遊園地、テーマパーク、アミューズメント施設、大型店舗などの施設内において、極めて簡単な入力操作および探索操作によって、利用者の位置を迅速に把握したり、迷子になった同行の子供や老齢者を迅速に捜しだせるようにすることを目的とする。
【課題を解決するための手段】
【０００４】
請求項１に記載の情報通信システムは、非接触方式で情報の授受を行うＩＣタグ（実施形態においては、図１および図２のＩＣタグ１０に相当する）から発信される無線信号を受信してその中に含まれているタグ情報を読み取って送信する読取手段（実施形態においては、図１のＩＣタグリーダ３Ａないし３Ｄに相当する）と、タグ読取手段から送信される送信信号を受信してその中に含まれているタグ情報およびタグ読取手段の位置を特定する情報を抽出して、抽出したタグ情報に基づく通信端末装置（実施形態においては、図１の携帯電話８に相当する）を特定する端末特定手段（実施形態においては、図１の制御サーバ１に相当する）と、端末特定手段によって特定された通信端末装置に対して端末特定手段によって抽出されたタグ読取手段の位置を特定する情報を送信する情報送信手段（実施形態においては、図１の送受信サーバ５に相当する）と、を備えた構成になっている。
【０００５】
請求項１の情報通信システムにおいて、請求項２に記載したように、ＩＣタグから発信される無線信号に含まれているタグ情報は通信端末装置のアドレス（実施形態においては、携帯電話８のメールアドレスに相当する）であり、情報送信手段は、端末特定手段によって抽出されたアドレスの通信端末装置に対して端末特定手段によって抽出されたタグ読取手段の位置を特定する情報を発信するように構成してもよい。
請求項１の情報通信システムにおいて、請求項３に記載したように、ＩＣタグから発信される無線信号に含まれているタグ情報は当該ＩＣタグを識別する識別情報（実施形態においては、ＩＣタグ番号に相当する）であり、端末特定手段は、抽出した識別情報と一意に関連付けされたアドレスを検索し、情報送信手段は、その検索されたアドレスの通信端末装置に対して端末特定手段によって抽出されたタグ読取手段の位置を特定する情報を発信するように構成してもよい。
さらに、この場合において、請求項４に記載したように、複数のＩＣタグのそれぞれを識別する各識別情報と複数の通信端末装置のそれぞれを特定する各アドレスとを一意に関連付けて記憶する記憶手段（実施形態においては、図１のＩＣタグデータベース４に相当する）をさらに備え、端末特定手段は、抽出した識別情報と一意に関連付けされたアドレスを記憶手段から検索するような構成にしてもよい。
また、請求項１の情報通信システムにおいて、請求項５に記載したように、端末特定手段は、抽出したアドレスの通信端末装置に対して端末特定手段によって抽出されたタグ読取手段の位置を特定する地図情報を作成し、情報送信手段は、作成された地図情報を抽出されたアドレスの通信端末装置に対して発信するような構成にしてもよい。
【０００６】
請求項６に記載の情報通信方法は、非接触方式で情報の授受を行うＩＣタグ（実施形態においては、図１および図２のＩＣタグ１０に相当する）から発信される無線信号を受信してその中に含まれているタグ情報を読み取るステップと、読み取ったタグ情報を担う送信信号を送出するステップと、送信信号を受信してその中に含まれているタグ情報およびタグ情報が読取られた位置の位置情報を抽出するステップと、抽出したタグ情報に基づく通信端末装置（実施形態においては、図１の携帯電話８に相当する）に対して抽出した位置情報を発信するステップと、を実行する。
【発明の効果】
【０００７】
本発明の情報通信システムおよび情報通信方法によれば、ホテル、遊園地、テーマパーク、アミューズメント施設、大型店舗などの施設内において、極めて簡単な入力操作および探索操作によって、利用者の位置を迅速に把握したり、迷子になった同行の子供や老齢者を迅速に捜しだせるという効果が得られる。
【発明を実施するための最良の形態】
【０００８】
以下、本発明による情報通信システムの実施形態について、テーマパークの場合を例に採って、図１に示すシステム構成、図２に示すＩＣタグの内部構成、および、情報通信システムにおける情報通信方法を示す図３ないし図１１のフローチャートを参照して説明する。
図１において、制御サーバ１は、この情報通信システム全体を制御する装置であり、ＩＣタグライタ２、および、複数のＩＣタグリーダ３Ａないし３Ｄのそれぞれと、ＬＡＮ等の通信回線である伝送路４によって接続されている。ただし、施設内のＩＣタグリーダの総数は、図に示した４個でなく、もっと多数（ｎ個とする）である。以下の説明では、任意のＩＣタグリーダをＩＣタグリーダ３とする。制御サーバ１はまた、送受信サーバ５およびＩＣタグデータベース６とそれぞれ伝送路７によって接続されている。送受信サーバ５は、施設内において利用者が持っている携帯電話８と無線回線によって接続される。ＩＣタグライタ２は、装着されたＩＣタグ又は予め内蔵されている多数のＩＣタグの中から順に書込み位置に自動的に移動されたＩＣタグに対して、利用者の入力操作によって、携帯電話８のメールアドレスを書き込んで登録する。
ＩＣタグリーダ３は、ＩＣタグから発信される情報を非接触で読取って、その読取った情報、自己識別用のリーダ番号（又は、固有の記号）、および読取った時刻の情報を制御サーバ１に伝送路４を介して送信する。例えば、迷子９が身に付けているＩＣタグ１０の情報を読取って、リーダ番号および時刻情報とともに制御サーバ１に送信する。ＩＣタグデータベース６には、各ＩＣタグに固有のＩＣタグ番号と一意に関係付けられた携帯電話８のメールアドレスとの対応テーブル、ＩＣタグリーダ３のリーダ番号とその設置された位置の緯度・経度に応じた地図情報の画像との対応テーブルが格納されている。
【０００９】
図２は、ＩＣタグの内部構成を示す概略のブロック図である。ＩＣタグは、回路部１００および太陽電池の機能を具備したアンテナ部２００で構成されている。回路部１００は、制御プログラムおよびＩＣタグ番号などを格納したＲＯＭ１０１、入力されたメールアドレスなどを登録できるＲＡＭ１０２、アンテナ部２００の太陽電池から発電電力を入力されて回路部１００の各部へ電源を供給する電源供給部１０３、アンテナ部２００を介してＩＣタグリーダ３と無線通信を行う通信部１０４、ＲＯＭ１０１に格納された制御プログラムを実行して回路部１００を制御する制御部１０５、および図示しない他の回路要素で構成されている。
【００１０】
次に、図１および図２の構成による本発明の情報通信システムにおける実施形態の情報通信方法の動作について説明する。
ＩＣタグライタ２には、情報を書き込むＩＣタグを装着する装着部、表示部、表示部の表面に設けられた透明電極等のタッチセンサからなるスイッチ部、制御部、記憶部などが設けられている。スイッチ部には、数字、文字および記号を入力するデータ入力スイッチ、ＯＫスイッチ、中止スイッチなどがある。
【００１１】
図３は、ＩＣタグライタ２における登録処理のフローチャートである。ＩＣタグが装着された状態で、入力操作を検知したか否かを判別し（ステップＳＡ１）、入力操作を検知したときは、入力画面を表示して（ステップＳＡ２）、装着されたＩＣタグのＩＣタグ番号を表示する（ステップＳＡ３）。次に、携帯電話８のメールアドレスが入力されたか否かを判別し（ステップＳＡ４）、入力されたときはそのメールアドレスを記憶部にストアする（ステップＳＡ５）。メールアドレスが入力されない場合には、メールアドレスが既に入力済みか否かを判別する（ステップＳＡ６）。
メールアドレスが入力済みの場合、又は、メールアドレスをストアした後は、他のデータが入力されたか否かを判別する（ステップＳＡ７）。他のデータとしては、例えば、携帯電話８の電話番号やＩＣタグを持っている子供などの氏名や愛称などがある。他のデータが入力されたときは、そのデータを記憶部にストアする（ステップＳＡ８）。次に、ＯＫスイッチがオンされたか否かを判別し（ステップＳＡ９）、このスイッチがオンでない場合には、中止スイッチがオンされたか否かを判別する（ステップＳＡ１０）。このスイッチもオンでない場合には、ステップＳＡ４においてメールアドレスの入力を判別する。中止スイッチがオンされたときは、記憶部にストアされた入力データをクリアする（ステップＳＡ１１）。ＯＫスイッチがオンされたときは、記憶したＩＣタグ番号およびメールアドレスを制御サーバ１に送付する（ステップＳＡ１２）。入力データをクリアした後、又は、ＩＣタグ番号およびメールアドレスを送付した後は、再び、ステップＳＡ１に移行して、入力操作の検出を行う。
なお、ＩＣタグライタ２のスイッチ部から携帯電話８のメールアドレスなどを手動操作で入力する代わりに、携帯電話８から送受信サーバ５に直接発信して、自動的にメールアドレスなどをＩＣタグライタに登録することもできる。
【００１２】
図４は、ＩＣタグリーダ３の情報読み取り処理の動作を示すフローチャートである。ＩＣタグリーダ３は、所定範囲内（例えば、半径１０ｍの範囲内）に位置する任意のＩＣタグ１０から発信される無線信号を受信する。また、ｎ個のＩＣタグリーダ３によって、施設内の全ての範囲におけるＩＣタグ１０からの無線信号の受信をカバーすることができる。したがって、ＩＣタグ１０が施設内に存在する限り、いずれかのＩＣタグリーダ３によってその無線信号が受信される。
このフローチャートにおいては、ＩＣタグ１０を検知したか否かを判別し（ステップＳＢ１）、検知したときは、そのＩＣタグ１０の情報を非接触で読取るＩＣタグリード処理を実行する（ステップＳＢ２）。そして、自己を識別するリーダ番号とＩＣタグから読取ったＩＣタグ番号及びメールアドレスを制御サーバ１に送付する（ステップＳＢ３）。
【００１３】
図５は、制御サーバ１の動作を示すフローチャートである。ＩＣタグライタ２からの信号を受信したか否かを判別し（ステップＳＣ１）、信号を受信したときは、受信されたＩＣタグ番号およびメールアドレスをＩＣタグデータベース６にストアして登録する（ステップＳＣ２）。ＩＣタグライタ２からの信号を受信しない場合には、ＩＣタグリーダ３からの信号を受信したか否かを判別し（ステップＳＣ３）、信号を受信したときは、受信された情報を一時的にストアする（ステップＳＣ４）。
次に、ストアした情報の中にアドレス情報があるか否かを判別する（ステップＳＣ５）。すなわち、ＩＣタグリーダ３から受信した情報の中に、リーダ番号およびＩＣタグ番号とともに携帯電話８のメールアドレスが含まれているか、又は、リーダ番号およびＩＣタグ番号のみであるかを判別する。メールアドレスが含まれていない場合には、ＩＣタグデータベース６からＩＣタグ番号に基づき対応するメールアドレスを検索する（ステップＳＣ６）。
ＩＣタグ番号とそれに対応する携帯電話８のメールアドレスとのテーブルは既にＩＣタグデータベース６に登録されているので、ＩＣタグからは、ＩＣタグ番号のみをＩＣタグリーダ３に発信してもよい。この場合には、ＩＣタグにメールアドレスを登録する必要がないので、図２に示したＩＣタグの回路部１００のＲＡＭ１０２は不要であり、厳密には同一のシステム構成ではないが、説明および図面を簡便にするために、ＩＣタグ番号のみをＩＣタグリーダ３に発信するシステムもこの実施形態に含めることとする。
受信した情報の中にメールアドレスを含まれている場合、又は、ＩＣタグデータベース６からメールアドレスを検索した場合には、ＩＣタグデータベース６からリーダ番号に基づき、そのＩＣタグリーダ３の位置情報すなわち緯度・経度を検索する（ステップＳＣ７）。次に、検索した位置情報に基づき地図情報を作成する（ステップＳＣ８）。そして、メールアドレスおよびＩＣタグリーダ３の位置を示す地図情報を送受信サーバ５へ送付する（ステップＳＣ９）。
【００１４】
図６は、送受信サーバ５の動作を示すフローチャートである。制御サーバ１からメールアドレスおよび地図情報を受信したか否かを判別し（ステップＳＤ１）、これらを受信したときは、メールアドレスおよび地図情報に基づきメールを作成する（ステップＳＤ２）。すなわち、宛先をメールアドレスとし、地図情報を本文又は添付ファイルとするメールを作成する。そして、作成したメールを携帯電話８に送信する（ステップＳＤ３）。ステップＳＤ１において、メールアドレスおよび地図情報を受信しない場合には、携帯電話８からメールを受信したか否かを判別し（ステップＳＤ４）、受信したときは、その携帯電話８のメールアドレスを制御サーバ１に送付する（ステップＳＤ５）。
【００１５】
図７および図８は、携帯電話８のメインルーチンのフローチャートである。図７において、所定のイニシャライズ（ステップＳＥ１）の後、表示部に待受画面を表示する（ステップＳＥ２）。次に、オフフックスイッチがオンされたか否かを判別する（ステップＳＥ３）。このスイッチがオンされたときは、番号入力の画面を表示して(ステップＳＥ４)、入力された番号をストアし、表示部に表示する番号入力処理を行う（ステップＳＥ５）。次に、発信スイッチのオン操作に応じて発信処理を行い（ステップＳＥ６）、呼出報知を行う(ステップＳＥ７)。そして、回線接続が確立したか否かを判別する（ステップＳＥ８）。回線接続が確立したときは通話処理に遷移し（ステップＳＥ９）、相手先のユーザとの通話が行われる。その後は、オンフックスイッチがオンされたか否かを判別し（ステップＳＥ１０）、このスイッチがオンされたときは回線切断などの終話処理を行って（ステップＳＥ１１）、ステップＳＥ２に移行して再び待受画面を表示する。
【００１６】
ステップＳＥ３において、オフフックスイッチがオンされない場合には、図８のフローチャートにおいて、メールスイッチがオンされたか否かを判別する(ステップＳＥ１２)。このスイッチがオンでない場合には、図２のステップＳＥ３に移行してオフフックスイッチのオンを判別するが、このスイッチがオンされたときは、メールリスト画面を表示する(ステップＳＥ１３)。メールリスト画面には、新規作成、受信ＢＯＸ、送信ＢＯＸ、その他の項目が表示される。そして、ひとつの項目にフォーカスを当てる(ステップＳＥ１４)。例えば、その項目の表示態様を反転表示して他の項目と区別する。
【００１７】
次に、カーソルスイッチがオンされたか否かを判別し(ステップＳＥ１５)、このスイッチがオンされたときは、フォーカス位置を移動する(ステップＳＥ１６)。次に、画面に表示された２つのアイコンスイッチの１つである決定スイッチがオンされたか否かを判別し(ステップＳＥ１７)、このスイッチがオンされない場合には、もう１つのアイコンスイッチであるクリアスイッチがオンされたか否かを判別する(ステップＳＥ１８)。このスイッチもオンでない場合には、ステップＳＥ１５に移行して、カーソルスイッチのオンを判別する。一方、クリアスイッチがオンされたときは、メールリスト画面を消去し、図２のステップＳＥ２に移行して、待受画面を表示する。
【００１８】
図８のステップＳＥ１７において、決定スイッチがオンされたときは、そのときのフォーカス位置に応じた処理を行う。フォーカス位置が新規作成であるか否かを判別し(ステップＳＥ１９)、新規作成である場合には、新規作成処理を行う（ステップＳＥ２０）。次に、送信スイッチがオンされたか否かを判別し（ステップＳＥ２１）、このスイッチがオンでない場合には、ステップＳＥ１８において、クリアスイッチがオンされたか否かを判別するが、送信スイッチがオンされたときは、作成されたメールを送信する（ステップＳＥ２２）。新規作成において、迷子検索のメールを作成して、この施設のメールアドレスに送信した場合には、その発信した携帯電話８のメールアドレスに対応するＩＣタグ番号によって、そのＩＣタグ番号のＩＣタグ１０を持っている迷子９の位置が地図情報とともに送信サーバ５から送信される。
ステップＳＥ１９において、フォーカス位置が新規作成でない場合には、フォーカス位置が受信ＢＯＸであるか否かを判別し（ステップＳＥ２３）、受信ＢＯＸである場合には、受信ＢＯＸ処理を行う（ステップＳＥ２４）。受信ＢＯＸでもない場合には、フォーカス位置の項目に対応したその他のメール処理を行う（ステップＳＥ２５）。ステップＳＥ２２におけるメール送信、ステップＳＥ２４における受信ＢＯＸ処理、又は、ステップＳＥ２５におけるその他のメール処理の後は、ステップＳＥ１３に移行して、メールリスト画面を表示する。
【００１９】
図９は、図８のステップＳＥ２４における受信ＢＯＸ処理ののフローチャートである。まず、受信メールリスト画面を表示して（ステップＳＦ１）、ひとつのメールにフォーカスする（ステップＳＦ２）。次に、カーソルスイッチがオンされたか否かを判別し(ステップＳＦ３)、このスイッチがオンされたときは、フォーカス位置を移動する(ステップＳＦ４)。次に、決定スイッチがオンされたか否かを判別し(ステップＳＦ５)、このスイッチがオンされない場合には、クリアスイッチがオンされたか否かを判別する(ステップＳＦ６)。このスイッチもオンでない場合には、ステップＳＦ３に移行して、カーソルスイッチのオンを判別する。
一方、クリアスイッチがオンされたときは、メールリスト画面を消去し、メインルーチンに戻る。また、決定スイッチがオンされたときは、そのときのフォーカス位置のメールを開封する処理を行う（ステップＳＦ７）。迷子検索のメールを送受信サーバ５に送信して、その返信メールを送受信サーバ５から受信したときは、迷子９が持っているＩＣタグ１０の無線信号を受信したＩＣタグリーダ３の位置を示す地図情報がその返信メールによって示される。メールの開封処理の後、クリアスイッチがオンされたか否かを判別し（ステップＳＦ８）、このスイッチがオンされたときは、メール開封画面を消去して、メインルーチンに戻って待受画面を表示する。
【００２０】
図１０は、電話の着信検知処理のフローチャートである。電話の着信を検知すると、着信報知を行い(ステップＳＧ１)、オフフックスイッチがオンされたか否かを判別する(ステップＳＧ２)。このスイッチがオンされたときは、通話処理に遷移して(ステップＳＧ３)、相手先のユーザとの通話が行われる。その後は、オンフックスイッチがオンされたか否かを判別し（ステップＳＧ４）、このスイッチがオンされたときは回線切断などの終話処理回を行って（ステップＳＧ５）、メインルーチンに戻って待受画面を表示する。
図１１は、メールの着信処理のフローチャートである。メールを着信すると、受信ＢＯＸへストアし（ステップＳＨ１）、一定期間着信報知を行って（ステップＳＨ２）、メインルーチンに戻って待受画面を表示する。
【００２１】
以上のように、この実施形態によれば、ＩＣタグリーダ３は、非接触方式で情報の授受を行うＩＣタグ１０から発信される無線信号を受信して、その中に含まれているタグ情報を読み取って制御サーバ１に送付する。制御サーバ１は、ＩＣタグリーダ３から送信される送信信号を受信してその中に含まれているタグ情報、および、ＩＣタグリーダ３の位置を特定するリーダ番号を抽出して送受信サーバ５に送付する。送受信サーバ５は、制御サーバ１から送付されるタグ情報に基づく携帯電話８に対して、ＩＣタグリーダ３の位置を特定する情報を発信する。したがって、ホテル、遊園地、テーマパーク、アミューズメント施設、大型店舗などの施設内において、極めて簡単な入力操作および探索操作によって、利用者の位置を迅速に把握したり、迷子になった同行の子供や老齢者を迅速に捜しだせる。
【００２２】
この場合において、ＩＣタグ１０から発信される無線信号に含まれているタグ情報は携帯電話のメールアドレスであり、送受信サーバ５は、そのメールアドレスの携帯電話８に対して、タグ情報を読取ったＩＣタグリーダ３の位置を特定する情報を発信する。
あるいは、ＩＣタグ１０から発信される無線信号に含まれているタグ情報は当該ＩＣタグ１０を識別するＩＣタグ番号であり、制御サーバ１は、抽出したＩＣタグ番号と一意に関連付けされたメールアドレスを検索し、送受信サーバ５は、その検索されたメールアドレスの携帯電話８に対してＩＣタグ番号を読取ったＩＣタグリーダ３の位置を特定する情報を発信する。ＩＣタグデータベース６は、複数のＩＣタグ１０のそれぞれを識別する各ＩＣタグ番号と複数の携帯電話８のそれぞれを特定する各メールアドレスとを一意に関連付けて記憶しており、制御サーバ１は、抽出したＩＣタグ番号と一意に関連付けされたメールアドレスをＩＣタグデータベース６から検索する。
また、制御サーバ１は、抽出したメールアドレスの携帯電話８に対してＩＣタグリーダ３の位置を特定する地図情報を作成し、送受信サーバ５は、作成された地図情報を抽出されたメールアドレスの携帯電話８に発信する。
【００２３】
上記実施形態においては、情報通信システムについて説明したが、図３ないし図１１のフローチャートに示したように、ＩＣタグライタ２、ＩＣタグリーダ３、制御サーバ１、送受信サーバ５、および、携帯電話８のそれぞれに格納された情報通信処理のプログラムによって、情報通信方法の発明を実現することができる。
【００２４】
すなわち、本発明による情報通信方法は、
非接触方式で情報の授受を行うＩＣタグから発信される無線信号を受信してその中に含まれているタグ情報を読み取るステップと、読み取ったタグ情報を担う送信信号を送出するステップと、送信信号を受信してその中に含まれているタグ情報およびタグ情報が読取られた位置の位置情報を抽出するステップと、抽出したタグ情報に基づく通信端末装置に対して抽出した位置情報を発信するステップと、を実行する。
【００２５】
なお、上記実施形態においては、制御サーバ１と送受信サーバ５とを別個の装置としたが、制御サーバおよび送受信サーバの機能を備えた単一の装置で構成することも可能である。あるいは、ハードディスクなどからなるＩＣタグデータベース６を内蔵して、パソコンやミニコンなどで構成することも可能である。
また、上記実施形態においては、ＩＣタグ１０を識別する識別情報として、ＩＣタグ番号としたが、識別情報としては必ずしもＩＣタグ番号でなくてもよい。例えば、英字の文字列又は数字と英字の組み合わせでもよい。
また、上記実施形態においては、通信端末装置として携帯電話８を例に採ったが、ＰＨＳ、ＰＤＡ（携帯情報通信端末）でもよいし、施設内で使用する専用の通信端末装置でもよい。
また、ＩＣタグライタ２に携帯電話８と通信できる通信手段を備え、携帯電話８から発信して、メールアドレスを登録する構成も可能である。
【図面の簡単な説明】
【００２６】
【図１】本発明の実施形態における情報通信システムの構成を示す図。
【図２】本発明の実施形態におけるＩＣタグの内部構成を示すブロック図。
【図３】実施形態におけるＩＣタグライタの動作を示すフローチャート。
【図４】実施形態におけるＩＣタグリーダの動作を示すフローチャート。
【図５】実施形態における制御サーバの動作を示すフローチャート。
【図６】実施形態における送受信サーバの動作を示すフローチャート。
【図７】実施形態における携帯電話の動作を示すフローチャート。
【図８】図７に続く携帯電話の動作を示すフローチャート。
【図９】図８における受信ＢＯＸ処理のフローチャート。
【図１０】実施形態における携帯電話の電話着信検知処理のフローチャート。
【図１１】実施形態における携帯電話のメール着信検知処理のフローチャート。
【符号の説明】
【００２７】
１  制御サーバ
２  ＩＣタグライタ
３  ＩＣタグリーダ
４  伝送路
５  送受信サーバ
６  ＩＣタグデータベース
７  伝送路
８  携帯電話
９  迷子
１０  ＩＣタグ
１００  回路部
１０１  ＲＯＭ
１０２  ＲＡＭ
１０３  電源供給部
１０４  通信部
１０５  制御部
２００  アンテナ部
【図１】
2005303402.tif 000003
【図２】
2005303402.tif 000004
【図３】
2005303402.tif 000005
【図４】
2005303402.tif 000006
【図５】
2005303402.tif 000007
【図６】
2005303402.tif 000008
【図７】
2005303402.tif 000009
【図８】
2005303402.tif 000010
【図９】
2005303402.tif 000011
【図１０】
2005303402.tif 000012
【図１１】
2005303402.tif 000013